(57)【要約】【課題】組み立てが簡単で、携帯に便利な、及び機動性を備えた自動車用ハンガーの構造の提供。【解決手段】支持体と、パネルとによって構成され、前記支持体には、少なくとも二本の支材が連結され、前記支材の一端は屈折して支持体に固定結合し、支材の他の一端は湾曲して弧状のハンガーを形成し；前記ハンガーには水平に延びた自由端を備え、外側面に凹部が設けられた固着ブロックに結合され；前記パネルの一側面縁には、スリットが開設され、パネル底面の片方には少なくとも２個の嵌合部品が固定され；組み立てるときは、前記パネルの嵌合部品を前記支持体の支材の上に嵌合し、前記パネルを支持体の支材の上で回転できるようにしたことを特徴とする。【選択図】　　　　図１
0003097831.tif 000002
【実用新案登録請求の範囲】
【請求項１】
支持体と、パネルとによって構成され、
前記支持体には、少なくとも二本の支材が連結され、前記支材の一端は屈折して支持体に固定結合し、支材の他の一端は湾曲して弧状のハンガーを形成し；前記ハンガーには水平に延びた自由端を備え、外側面に凹部が設けられた固着ブロックに結合され；
前記パネルの一側面縁には、スリットが開設され、パネル底面の片方には少なくとも２個の嵌合部品が固定され；
組み立てるときは、前記パネルの嵌合部品を前記支持体の支材の上に嵌合し、前記パネルを支持体の支材の上で回転できるようにしたことを特徴とする自動車用ハンガーの構造。
【請求項２】
前記支材は、溶接によって支持体に連結されていることを特徴とする請求項１記載の自動車用ハンガーの構造。
【請求項３】
前記固着ブロックには、穿孔が設けられ、弧状のハンガーの自由端を前記穿孔に貫通して結合させることを特徴とする請求項１記載の自動車用ハンガーの構造。
【請求項４】
前記固着ブロックの他の一側面には、浅溝が設けられ、該浅溝を頭受支材にはめることを特徴とする請求項１記載の自動車用ハンガーの構造。
【請求項５】
前記パネルの側面縁には、パネルの上に置いた物体が滑り落ちるのを防止するため、上向きのフランジが設けられていることを特徴とする請求項１記載の自動車用ハンガーの構造。
【請求項６】
前記フランジは、パネルの３側面を取り巻いていることを特徴とする請求項１記載の自動車用ハンガーの構造。
【請求項７】
前記パネルの嵌合部品の中央には、嵌合溝が凹設されていることを特徴とする請求項１記載の自動車用ハンガーの構造。
【請求項８】
前記パネルの底面には、別途１個以上の位置決め調整プレートが設けられ、前記位置決め調整プレートの片方には、支持体の支材に嵌合するための嵌合部品を固定結合し、前記パネルの底面には、１個以上の位置決めバーが設けられ；
前記位置決め調整プレートを前記位置決めバーに当接することによって、適当にパネル角度を調整できることを特徴とする請求項１記載の自動車用ハンガーの構造。
【請求項９】
前記嵌合部品の中央に嵌合溝が設けられ、前記嵌合溝を支持体の支材に嵌合し、前記位置決め調整プレートを支持体に対して回転させることを特徴とする請求項８記載の自動車用ハンガーの構造。
【請求項１０】
前記支持体には、掛けかぎが結合されていることを特徴とする請求項１記載の自動車用ハンガーの構造。
【考案の詳細な説明】
【０００１】
【考案の属する技術分野】
本考案は、支持体及びパネルによって構成され、該支持体には少なくとも二本の支材が連結され、支材の一端は屈折して支持体に固定され、支材の他端は弧状に曲がったハンガーを形成し、該ハンガーには水平に延びて固着ブロックに結合される自由端があり、該固着ブロックの外側面には凹部が設けられ、他方の一側面には、浅溝が設けられ、パネルの三側面縁には、上向きのフランジが設けられ、残りの側面縁にはスリットが開設され、パネル底面の片方には少なくとも２個の嵌合部品が固定され、該嵌合部品には嵌合溝が設けられ、該嵌合溝を利用して支持体に嵌合し、パネルを支持体の支材の上で回転できるようにしたことを特徴とする自動車用ハンガーの構造に関するものである。
【０００２】
【従来の技術】
自動車は、現代人の日常生活に欠かせない交通道具の一つであり、一般の車内空間設計では、ドライバーに車運転の便利さ及びドライバーや乗客の安全と快適さを提供することに重点をおき、特別ユーザーの注文によって作られる車両又は特殊用途の車両においてのみ空間の計画的利用が考慮される。従って、自動車内部空間を有効に利用するため、一般に選ばれる自動車のアクセサリーは、移動できる活動式アクセサリー、例えば、飲料架・吊り掛け式芳香剤等が多い。
【０００３】
【考案が解決しようとする課題】
自動車に頼ることの多い現代都会人やサラリーマンにとって、人によっては、一日の作業時間の内で、自動車を運転したり乗ったりして過ごす時間が机の前や事務所に座っている時間より長い、従って、有効に自動車に乗っている時間及び自動車内部の限られた空間を利用できるならば、必ずや時間を節約し、作業能率及び車内空間の活用を向上させることができるだろう。
【０００４】
本考案者は、上記現代都会人又はサラリーマンの問題を解決し、有効に自動車に乗っている時間を活用し、機動的に自動車内部の既存設備を利用し、且つ車内空間の運用を活性化できるようにするため、この簡易テーブル・洋服掛け及びハンガー式支持架の機能を備えた、組み立て簡単・携帯便利で機動的機能を持つ自動車用ハンガーの構造を考案した。
【０００５】
本考案の主な目的は、使用するとき、支材の弧状ハンガーを利用してハンドルの上端に置き、又は固着ブロックによって自動車座席の頭受支材に取り付け、パネルを水平に置いて簡易活動テーブルを形成し、使用しないときは、取り外して折りたたみ収納し、組み立て取り外しの簡易な、携帯格納に便利な機能を持つ自動車用ハンガーの構造を提供することにある。
【０００６】
本考案のもう一つの目的は、自動車前座席の頭受支材によって、パネルを縦に立て、或いは支持体をひっくり返して自動車前座席の頭受に取り付け、該支持体を洋服掛けとすることができる自動車用ハンガーの構造を提供することにある。
【０００７】
本考案の又一つ別の目的は、支持体に掛けかぎを結合し、各種の用品又は携帯品、例えば、帽子・風呂敷・ランドセル・キーホルダーなどの吊り下げに供し、車内空間における物品の乱雑さをなくし、座席を空けることのできる自動車用ハンガーの構造を提供することにある。
【０００８】
【課題を解決するための手段】
請求項１の考案は、支持体と、パネルとによって構成され、
前記支持体には、少なくとも二本の支材が連結され、前記支材の一端は屈折して支持体に固定結合し、支材の他の一端は湾曲して弧状のハンガーを形成し；前記ハンガーには水平に延びた自由端を備え、外側面に凹部が設けられた固着ブロックに結合され；
前記パネルの一側面縁には、スリットが開設され、パネル底面の片方には少なくとも２個の嵌合部品が固定され；
組み立てるときは、前記パネルの嵌合部品を前記支持体の支材の上に嵌合し、前記パネルを支持体の支材の上で回転できるようにしたことを特徴とする自動車用ハンガーの構造としている。
請求項２の考案は、前記支材は、溶接によって支持体に連結されていることを特徴とする請求項１記載の自動車用ハンガーの構造としている。
請求項３の考案は、前記固着ブロックには、穿孔が設けられ、弧状のハンガーの自由端を前記穿孔に貫通して結合させることを特徴とする請求項１記載の自動車用ハンガーの構造としている。
請求項４の考案は、前記固着ブロックの他の一側面には、浅溝が設けられ、該浅溝を頭受支材にはめることを特徴とする請求項１記載の自動車用ハンガーの構造としている。
請求項５の考案は、前記パネルの側面縁には、パネルの上に置いた物体が滑り落ちるのを防止するため、上向きのフランジが設けられていることを特徴とする請求項１記載の自動車用ハンガーの構造としている。
請求項６の考案は、前記フランジは、パネルの３側面を取り巻いていることを特徴とする請求項１記載の自動車用ハンガーの構造としている。
請求項７の考案は、前記パネルの嵌合部品の中央には、嵌合溝が凹設されていることを特徴とする請求項１記載の自動車用ハンガーの構造としている。
請求項８の考案は、前記パネルの底面には、別途１個以上の位置決め調整プレートが設けられ、前記位置決め調整プレートの片方には、支持体の支材に嵌合するための嵌合部品を固定結合し、前記パネルの底面には、１個以上の位置決めバーが設けられ；
前記位置決め調整プレートを前記位置決めバーに当接することによって、適当にパネル角度を調整できることを特徴とする請求項１記載の自動車用ハンガーの構造としている。
請求項９の考案は、前記嵌合部品の中央に嵌合溝が設けられ、前記嵌合溝を支持体の支材に嵌合し、前記位置決め調整プレートを支持体に対して回転させることを特徴とする請求項８記載の自動車用ハンガーの構造としている。
請求項１０の考案は、前記支持体には、掛けかぎが結合されていることを特徴とする請求項１記載の自動車用ハンガーの構造としている。
【０００９】
【考案の実施の形態】
本考案は、支持体及びパネルによって構成され、該支持体には少なくとも二本の支材が連結され、支材の一端は屈折して支持体に固定され、他の支材の一端は弧状に湾曲したハンガーの形をなし、該ハンガーには水平に延びて固着ブロックに結合される自由端があり、該固着ブロックの外側面には凹部が設けられ、他の一側面には、浅溝を設け、パネルの三側面縁には、上向きのフランジが設けられ、残り一側面縁にはスリットを開設し、パネル底部の片方には少なくとも２個の嵌合部品が固定され、該嵌合部品には嵌合溝が設けられ、該嵌合溝を利用して支持体に嵌合し、パネルを支持体の支材の上で回転できるようにしたことを特徴とするものである。実施する場合は、弧状のハンガー部をハンドルの上端に乗せ、或いは固着ブロックの凹部又は浅溝を自動車の前座席の頭受け支材にはめ、パネルを水平に置いて簡易テーブルを形成し、或いはパネルを縦に立てて、支持体を洋服掛けとなす；又、支持体をひっくり返し、支材が下方になるようにして、固着ブロックによって頭受けの支材に取り付け、該支持体を洋服掛けとすることもできる。
【００１０】
【実施例】
以下、本考案の目的・特徴及び効果を詳細に開示するため、下記具体的実施の形態と添え付け図面によって、本考案を詳細に説明する。
【００１１】
図１・図２は、本考案実施の形態の立体分解図・組み立て図である：本考案は、支持体（１０）、パネル（２０）によって構成された自動車用ハンガーの構造であり；
前記支持体（１０）には、２本以上の支材（１１）が連結され、前記支材（１１）の一端は屈折して支持体（１０）に固着され、（本実施の形態では、溶接によって連結されている）支材（１１）の他の一端は湾曲して弧状のハンガー（１２）を形成し、前記弧状のハンガー（１２）には、前方に水平に延びる自由端（１３）があり、前記自由端（１３）は固着ブロック（１４）の穴（１４１）に貫通して結合され、前記固着ブロック（１４）の外側面には凹部（１４２）が設けられ、他方の一側面には、浅溝（１４３）が設けてある。
【００１２】
前記パネル（２０）の一側面縁には、パネル（２０）の上に置かれた物が滑り落ちるのを防止するため、上向きにパネル（２０）の３方を取り巻くフランジ（２０１）が設けられている；前記パネル（２０）の残り側面縁にはスリット（２０２）が開設され、底面の側面縁には、中央に嵌合溝（２０４）を凹設した嵌合部品（２０３）が２個以上固定結合され、パネル（２０）の底面には１個以上の位置決めバー（２０５）が固定設置されている。
【００１３】
組み立てるときは、前記パネル（２０）嵌合部品（２０３）の嵌合溝（２０４）を利用して前記支持体（１０）の支材に嵌合させ、前記パネル（２０）が支持体（１０）の支材の上で回転できるようになっている。
【００１４】
本考案は、図１及び図３に示すように、別途１個以上の位置決め調整プレート（３０）を設けてあり、前記位置決め調整プレート（３０）の側面には、嵌合部品（３０１）が固定結合され、前記嵌合部品（３０１）には嵌合溝（３０２）が凹設され、嵌合溝（２０４）によって支持体（１０）の支材に嵌合し、前記位置決め調整プレート（３０）は支持体に対して回転できるようになっている。
【００１５】
実施するときは、図４に示すように、支材（１１）の弧状のハンガー（１２）によってハンドル（５０）の上端に掛け、前記パネル（２０）を水平に置いて簡易テーブルとする。又、図５・６に示すように、本考案は固着ブロック（１４）の凹部（１４２）又は浅溝（１４３）によって自動車前座席の頭受支材（６０）に固着させ、前記パネル（２０）を水平に置いて簡易テーブルとし、或いは前記パネル（２０）を回転させて立て起こし、図７のように、前記支持体（２０）を洋服掛けとすることができる。
【００１６】
前記図４〜６の実施形態の中で、前記パネル（２０）を水平に置いて簡易テーブルとするときは、前記位置決め調整プレート（３０）の自由端をパネル（２０）の底面の位置決めバー（２０５）に当接させ、且つユーザーの必要に応じて、異なる位置決めバー（２０５）に変え、図３　に示すように、前記パネル（２０）の角度を調整することができる。
【００１７】
図８・９に示すように、本考案は又支持体（１０）をひっくり返して反対に置き、支材（１１）が下方にくるようにして、固着ブロック（１４）の凹部（１４２）又は浅溝（１４３）によって自動車前座席の頭受支材（６０）に固着させ、前記支持体（１０）を洋服掛けとすることもできる。
【００１８】
図１及び図７・８を参照して、本考案は支持体（１０）に掛けかぎ（４０）を結合させ、各種用品又は携帯物品、例えば、帽子・風呂敷・ランドセル・キーホルダー等の吊り下げに供し、車内空間における物品の乱雑さをなくし、座席を空けておくことができる。
【００１９】
【考案の効果】
本考案は、支持体にパネルを組み合わせ、自動車のハンドルに掛けて置き、或いは自動車の頭受支材に取り付けて、テーブル又は洋服掛けを形成することができ、全体の構造には、組み立てが簡単で、携帯に便利な機能を備え、確かに実用的機能を持つほか、尚且つ従来にない設計で、新規性及び進歩性を備えている。
【００２０】
以上、本考案について詳細に説明したが、以上に述べたことは、本考案の好ましい実施例であり、本考案の実施の範囲を限定するものではない、即ち、本考案の請求範囲によってなされる変化及び修正などは、すべて本考案の請求範囲に含まれるものとする。
【図面の簡単な説明】
【図１】本考案の実施の形態の立体分解図である。
【図２】本考案の実施の形態の立体組み立て図である。
【図３】本考案の実施の形態の立体組み立て断面図である。
【図４】本考案の実施の形態の実施状態図であり、弧状のハンガーをハンドルの上に置いた略図である。
【図５】本考案の実施の形態の実施状態図であり、固着ブロックを頭受支材にはめ込んだ略図（一）である。
【図６】本考案の実施の形態の実施状態図であり、固着ブロックを頭受支材にはめ込んだ略図（二）である。
【図７】本考案の実施の形態の実施状態図であり、固着ブロックを頭受支材にはめ込んだ略図（三）である。
【図８】本考案の実施の形態の実施状態図であり、支持体の支材（自由端）が下方にあり、固着ブロックを頭受支材にはめ込んだ略図である。
【図９】本考案の実施の形態の実施状態図であり、支持体の支材（自由端）が下方にあり、固着ブロックを頭受支材の前方にはめ込んだ略図である。
【符号の説明】
（１０）支持体
（２０）パネル
（１１）支材
（１２）弧状のハンガー
（１３）自由端
（１４）固着ブロック
（１４１）穴
（１４２）凹部
（１４３）浅溝
（２０１）フランジ
（２０２）スリット
（２０４）嵌合溝
（２０３）嵌合部品
（２０５）位置決めバー
（３０）位置決め調整プレート
（３０１）嵌合部品
（３０２）嵌合溝
（５０）ハンドル
（４０）掛けかぎ
【図１】
0003097831.tif 000003
【図２】
0003097831.tif 000004
【図３】
0003097831.tif 000005
【図４】
0003097831.tif 000006
【図５】
0003097831.tif 000007
【図６】
0003097831.tif 000008
【図７】
0003097831.tif 000009
【図８】
0003097831.tif 000010
【図９】
0003097831.tif 000011